(57)【要約】【課題】デフ機構を備えた小型耕耘機において、ロータリ装置の操作を行う変速レバーの移動と連動させてデフロックの解除を可能とするデフ機構の連動解除装置を提供する。【解決手段】変速レバー１側には、レバーガイド孔の変速レバー１の作業位置と作業停止位置との間に臨んで変速レバー１に先端部が当たるようにするとともにレバーガイド孔内を変速レバー１が通過可能に突出させた受動往復爪を枢支し、受動往復爪には受動往復爪が作業位置と作業停止位置との間に戻るように付勢した受動往復爪付勢バネを装着し、デフレバー２側には、ハンドルＨにデフレバー２を操作可能とするデフレバー解除用クランク６を設け、変速レバー１を作業位置と作業停止位置へ移動させる際に、変速レバー１に受動往復爪が当たって受動往復爪に連結したワイヤー１２でデフレバー解除用クランク６が連動してデフレバー２のデフロック解除がなされる。【選択図】  図１
0003165660.tif 000002
【実用新案登録請求の範囲】
【請求項１】
動力源から車輪に駆動を伝えるミッションと耕耘作業のためのロータリ装置とを有した小型耕耘機において、
該小型耕耘機のハンドルには、前記ミッションの車速及びロータリ装置の回転及び停止の切換えをレバーガイド孔付きカバーのレバーガイド孔の設定位置に操作して行う変速レバーと、前記ミッションの前記車輪駆動部にデフロック及びデフロック解除を行うデフ機構と、そのデフ機構の操作用のデフレバーと備え、
ａ）前記変速レバー側には、前記レバーガイド孔の変速レバーの作業位置と作業停止位置との間に臨んで変速レバーに先端部が当たるようにするとともにレバーガイド孔内を変速レバーが通過可能に突出させた受動往復爪を前記レバーガイド孔付きカバーに設けた受動往復爪枢支部に枢支し、前記受動往復爪枢支部には前記受動往復爪を作業位置と作業停止位置との中間に付勢した受動往復爪付勢バネを装着し、
ｂ）前記デフレバー側には、ハンドルにデフレバーを操作可能とするデフレバー解除用クランクを設け、
ｃ）該デフレバー解除用クランクと受動往復爪とを直接又は間接的にワイヤーを介して接続して成る小型耕耘機のデフ機構の連動解除装置。
【請求項２】
変速レバー側において、受動往復爪枢支部にはレバーガイド孔付きカバーの側方に末端部を突出させた連結片を受動往復爪の回転と連動可能に枢支し、該連結片の末端部にワイヤーの基端部を連結したことを特徴とする請求項１に記載の小型耕耘機のデフ機構の連動解除装置。
【請求項３】
デフレバー側において、デフレバーを枢支するデフレバー取付金具に設けた枢支部にデフレバー解除用クランクを枢支し、該デフレバー解除用クランクの一方の基端部にはワイヤーの末端部を連結するとともに、デフロック時には前記デフレバー解除用クランクの他方の先端部を前記デフレバーの操作が可能となるように前記デフレバーに当接させ、該デフレバー解除用クランクの基端部とハンドルに設けたワイヤーの通過位置を決めるワイヤーガイド孔との間に押しバネを装着したことを特徴とする請求項１又は２に記載の小型耕耘機のデフ機構の連動解除装置。
【請求項４】
ハンドルに設けたデフレバー用ワイヤーの通過位置を決めるデフレバー用ワイヤーガイドと、デフレバーを枢支するデフレバー取付金具の枢支部とを結ぶ距離より、前記デフレバー用ワイヤーガイドと、デフレバー用ワイヤーを連結したデフレバーの基端部を結ぶ距離が長くなるようにデフレバーの基端部の位置を設定し、デフレバーの操作でデフ機構に装着されたバネで緊張されているデフレバー用ワイヤーが前記枢支部を横切って、解除されていたデフ機構のデフロックがされるとともに該デフレバー用ワイヤーが枢支部を横切った後、前記デフレバーが当たる位置にストッパを設けたことを特徴とする請求項１から３のうちにいずれかに記載の小型耕耘機のデフ機構の連動解除装置。
【請求項５】
請求項１から４のうちにいずれかに記載のデフ機構の連動解除装置において、レバーガイド孔がレバーガイド孔付きカバーのレバーガイド孔に連通した複数の作業切換え用ガイド部を有し、前記各ガイド部に変速レバーを入れると、異なる作業が行えるように設定したレバーガイド孔であって、
前記ガイド孔の各ガイド部において変速レバーの作業位置と作業停止位置との間に臨んで変速レバーに先端部が当たるようにするとともに前記ガイド部内を変速レバーが通過可能に突出させた受動往復爪を前記レバーガイド孔付きカバーに設けた受動往復爪枢支部に枢支し、
前記変速レバーを作業位置から作業停止位置へと移動する際に、前記変速レバーが前記レバーガイド孔又は前記分岐ガイド孔に設けたいずれか１つの受動往復爪に当たると、各受動往復爪が連動して連結片をデフロック解除の方向へ移動可能となる連動機構を設けたことを特徴とする小型耕耘機のデフ機構の連動解除装置。
【考案の詳細な説明】
【技術分野】
【０００１】
本考案は小型耕耘機のミッションの車輪駆動部に設けた左右異回転ギヤの直進性を制御するデフロックと該デフロックの解除とを行うデフ機構において、そのデフロック解除をロータリによる耕耘作業の切換えを変速レバーと連動させて行う装置に関する。
【背景技術】
【０００２】
従来、ミッションの車輪駆動部に設けたデフレバーでの操作によりデフロック及びデフロック解除を行うデフ機構を備えた小型耕耘機が使用されている。
該小型耕耘機は、車輪に駆動力を伝えるミッションと耕耘作業のためのロータリ装置を有し、前記ミッションにおける車速度の変速や、ロータリ装置のロータリの回転、停止、変速等の切換え用の変速レバーを備えている。
そして、このような小型耕耘機の操作においては、耕耘作業時には、小型耕耘機の直進性を向上するためにデフロック位置にデフレバーを操作して作業を行い、また、進行方向転換のための旋回時には、旋回作業を楽にするとともに安全性を確保するためロータリが回転しないニュートラル位置に前記変速レバーを操作し、これに加えて、前記デフレバーをデフロックが解除される位置に操作して旋回作業を行っている。
このような変速レバーと前記デフレバーとの２つのレバーの関連操作は小型耕耘機の方向転換操作の基本となっている。
【０００３】
一方、耕耘機の旋回に係る作業性を高める手法として、デフロック状態のときにエンジンの回転速度を高速になるように回転速度を電子的に制御し、旋回するときにはエンジンを低速回転にして安全に耕耘機の旋回を行えるようにした下記特許文献１が提案されている。
【先行技術文献】
【特許文献】
【０００４】
【特許文献１】特開２００９−２９６９３２
【考案の概要】
【考案が解決しようとする課題】
【０００５】
従来の変速レバーとデフレバーの２つの操作を別々に行う装置では、操作が二度手間となって面倒であるだけでなく、二度手間を省きたいために、デフロックを解除せずロック状態のままで車輪を無理に滑らせて旋回させたり、ロータリが回転したままで旋回させることがある。しかし、このような運転をすると、旋回中にハンドルを取られ思うような操作が行えず転倒事故を起こすなどの危険性があった。
また上記特許文献１の電子的に制御する手法では高度な電子制御技術を要し装置の複雑化や製造コストが嵩むなどの難点がある。
【０００６】
そこで、本考案は、上記デフ機構を備えた小型耕耘機において、前記ミッション及びロータリ装置に対して、車速及びロータリによる耕耘作業の操作を行う変速レバーを、耕耘作業を行う位置から耕耘作業を行わない位置に移動する際に、電子的手法によらず機械的手法によって、変速レバーと連動させてデフロックの解除を可能とすることで小型耕耘機の方向転換をするときの操作が従来よりも一手間省くことが可能となり、且つ安全に運転できる小型耕耘機のデフ機構の連動解除装置を提供することを目的とする。
【課題を解決するための手段】
【０００７】
上記課題を解決するための本考案の小型耕耘機のデフ機構の連動解除装置は、動力源から車輪に駆動を伝えるミッションと耕耘作業のためのロータリ装置とを有した小型耕耘機におけるものである。
該小型耕耘機のハンドルには、前記ミッションの車速及びロータリ装置の回転及び停止の切換えをレバーガイド孔付きカバーのレバーガイド孔の設定位置に操作して行う変速レバーと、前記ミッションの前記車輪駆動部にデフロック及びデフロック解除を行うデフ機構と、そのデフ機構の操作用のデフレバーとを備える。
【０００８】
そして、ａ）前記変速レバー側には、前記レバーガイド孔の変速レバーの作業位置と作業停止位置との間に臨んで変速レバーに先端部が当たるようにするとともにレバーガイド孔内を変速レバーが通過可能に突出させた受動往復爪を前記レバーガイド孔付きカバーに設けた受動往復爪枢支部に枢支し、前記受動往復爪枢支部には前記受動往復爪を作業位置と作業停止位置との中間に付勢した受動往復爪付勢バネを装着し、また、ｂ）前記デフレバー側には、ハンドルにデフレバーを操作可能とするデフレバー解除用クランクを設け、  さらに、ｃ）該デフレバー解除用クランクと受動往復爪とを直接又は間接的にワイヤーを介して接続して成る。
そして、前記変速レバーを操作すると同時に前記デフレバーが連動し、デフロックの解除が可能となることを特徴する。
【０００９】
請求項２に記載の考案にあっては、上記考案において、前記変速レバー側において、受動往復爪枢支部にはレバーガイド孔付きカバーの側方に末端部を突出させた連結片を受動往復爪の回転と連動可能に枢支し、該連結片の末端部にワイヤーの基端部を連結したことを特徴とする。
【００１０】
請求項３に記載の考案にあっては、上記各考案において、前記デフレバー側において、デフレバーを枢支するデフレバー取付金具に設けた枢支部にデフレバー解除用クランクを枢支し、該デフレバー解除用クランクの一方の基端部にはワイヤーの末端部を連結するとともに該デフレバー解除用クランクの他方の先端部を前記デフレバーの操作が可能となるように前記デフレバーに当接させ、該デフレバー解除用クランクの基端部とハンドルに設けたワイヤーの通過位置を決めるワイヤーガイド孔との間に押しバネを装着したことを特徴とする。
【００１１】
請求項４に記載の考案にあっては、上記各考案において、前記ハンドルに設けたデフレバー用ワイヤーの通過位置を決めるデフレバー用ワイヤーガイド孔と、デフレバーを枢支するデフレバー取付金具の枢支部とを結ぶ距離より、前記デフレバー用ワイヤーガイド孔と、デフレバー用ワイヤーを連結したデフレバーの基端部を結ぶ距離が長くなるようにデフレバーの基端部の位置を設定する。
そして、デフレバーの操作でデフ機構に装着されたバネで緊張されているデフレバー用ワイヤーが前記枢支部を横切って、解除されていたデフ機構のデフロックがされるとともに該デフレバー用ワイヤーが枢支部を横切った後、前記デフレバーが当たる位置にストッパを設けたことを特徴とする。
【００１２】
請求項５に記載の考案にあっては、上記各考案において、レバーガイド孔が請求項１に記載のレバーガイド孔付きカバーのレバーガイド孔に繋がる１つ又は複数の分岐ガイド孔を有し、前記レバーガイド孔及び前記分岐ガイド孔に変速レバーを入れると、異なる作業が行えるように設定したレバーガイド孔であって、前記分岐ガイド孔の変速レバーの作業位置と作業停止位置との間に臨んで変速レバーに先端部が当たるようにするとともに前記分岐ガイド孔内を変速レバーが通過可能に突出させた受動往復爪を前記レバーガイド孔付きカバーに設けた受動往復爪枢支部に枢支する。
そして、前記変速レバーを作業位置から作業停止位置へと移動する際に、前記変速レバーが前記レバーガイド孔又は前記分岐ガイド孔に設けたいずれか１つの受動往復爪に当たると、各受動往復爪が連動して連結片をデフロック解除の方向へ移動可能となる連動機構を設けたことを特徴とする
【考案の効果】
【００１３】
従来の小型耕耘機では、旋回時にはロータリを回らない位置に変速レバーの操作で合わせ、また別にデフレバーを操作してデフロックを解除するという二度手間を要していた。
これに対して本考案では、ロータリを操作する前記変速レバーを、作業する位置から作業を行わない位置に移動すると同時に、受動往復爪を回転させ、該受動往復爪に連繋したるワイヤー及びデフレバー解除用クランクを介して前記デフレバーが機械的に連動し、デフロック解除がなされる。
このように前記変速レバーの操作でデフロックも同時に解除できるようになった結果、小型耕耘機の旋回時の無理な運転がなくなり安全且つスムーズに耕耘機の旋回運転が可能となり、このため旋回転倒事故も防止可能となる。
【００１４】
請求項２の考案にあっては、変速レバー側の受動往復爪の小さい回転幅を連結片で大きい往復移動に転換でき、該連結片の末端部に連結したワイヤーを有効な距離まで効果的に引くことが可能となる。
【００１５】
請求項３の考案にあっては、デフレバー側において、ワイヤーを連結したデフレバー解除用クランクの基端部をワイヤーで引くと、前記デフレバーの解除方向の後ろ側に当接させたデフレバー解除用クランクが、デフレバーを押して確実にデフロックの解除が可能となる。このため安全に耕耘機の旋回運転を行うことができるようになる。
【００１６】
請求項４の考案にあっては、デフロックをデフレバーの手動操作で行ったとき、バネで緊張されているデフレバー用ワイヤーが枢支部を横切ってデフレバーが自然には戻らないようにロックされ、耕耘作業時には小型耕耘機の直進性が向上された状態で運転することが可能となる。
【００１７】
請求項５の考案にあっては、レバーガイド孔に繋がる複数のガイド孔のいずれかに変速レバーを入れると、レバーガイド孔付きカバーのガイド孔に設けたそれぞれの受動往復爪枢支部に枢支した受動往復爪に前記変速レバーが当たり、各受動往復爪が連動機構によって連動して機械的にデフロックが解除可能となる。
このため、レバーガイド孔に複数のガイド孔を備えて異なる作業を行う場合であっても、変速レバーの移動に伴って各作業から別の作業への変更時に、自動的にデフロックの解除がなされ、耕耘機の旋回作業を安全に行うことが可能となる。
【図面の簡単な説明】
【００１８】
【図１】本考案の使用状態を示す小型耕耘機の側面図である。
【図２】変速レバー側の要部を示す（イ）が平面図、（ロ）が側面図である。
【図３】レバーガイド孔付きカバー部分の部品を分解した状態を示す斜め下から見た斜視図である。
【図４】デフレバー側の要部の部品を分解した状態を示す斜め上から見た斜視図である。
【図５】デフレバー側の要部の上が後部で下が前部を示し、（イ）が平面図、（ロ）が側面図である。
【図６】デフロック装置部分の（ロ）が側面図で、（イ）がワイヤー末端部周囲を示す図（ロ）の矢視Ｅから見た側面図である。
【図７】２段変速のレバーガイド孔の場合を示し（イ）が２段目の作業位置の状態を示し、（ロ）が２段目側と１段目側の二つの各受動往復爪が連動した状態を示す各平面図である。
【考案を実施するための形態】
【００１９】
一般に歩行型の小型耕耘機は、図１に示すように、エンジン又はモータを動力源にして、駆動車輪を回転させ走行させるようになっていて、駆動車輪に駆動を伝えるミッションＭと耕耘作業のためのロータリ装置Ｒを備えている。
そして、前記ミッションＭの車速及びロータリ装置Ｒの作業切換え用変速レバー1と前記ミッションＭの前記車輪駆動部にデフロック及びデフロック解除が行えるデフ機構Ｄを備えた小型耕耘機においては、作業時のデフ設定は、前記小型耕耘機の直進性を向上するためにデフロック位置に設定し、直進性を高めて耕耘作業を行い、また、方向転換のための旋回時には、まず耕耘作業をしない位置、即ちロータリの回らない位置に前記変速レバーを操作し、加えて前記デフレバーを操作し、デフロックを解除する位置にして旋回できるようになっている。
【００２０】
本考案のデフ機構の連動解除装置は、上記歩行型の小型耕耘機に装着され、このような耕耘機のミッションＭの車速及びロータリ装置Ｒの作業切換えをレバーガイド孔付きカバー７で行う変速レバー１と、前記ミッションＭの前記車輪駆動部Ｋにデフロック及びデフロック解除を行うデフ機構Ｄの操作用のハンドルＨに設けたデフレバー２とに対して、変速レバー１の操作によってデフレバー２も同時に操作可能とすることを目的とする。
【００２１】
その本考案のデフ機構の連動解除装置を、以下実施例を示す図に基づいて説明する。
本考案は、図１に示すように、小型耕耘機のミッションＭ近くに設けた前記変速レバー１側には、図２に示すように、レバーガイド孔付きカバー７に設けたレバーガイド孔８の作業位置Ａと作業停止位置Ｂとの間に先端部４ａを臨ませた受動往復爪４を前記レバーガイド孔付きカバー７に設けた受動往復爪枢支部９に枢支し、前記受動往復爪４の先端部４ａを、変速レバー１に当たるとともに前記レバーガイド孔８内を変速レバー１が通過可能に突出させる。
【００２２】
そして、該受動往復爪枢支部９には受動往復爪付勢バネ１１を、図３に示すように、レバーガイド孔付きカバー７と受動往復爪４に設けたバネ固定孔１６、１７に該バネの両端部を差し込んで、前記受動往復爪４の先端部４ａが前記レバーガイド孔８内の作業位置Ａと作業停止位置Ｂとの間に戻るように作業位置Ａと作業停止位置Ｂとの中間に付勢させて装着する。
また、前記受動往復爪枢支部９にはレバーガイド孔付きカバー７の側方に末端部５ａを突出させた連結片５の基端部を受動往復爪４の回転と連動可能に枢支する。
前記連結片５と受動往復爪４とは、受動往復爪４に設けた連結片連結用突起１８が連結片５の基端部に設けた突起挟持用切欠１９に挟まれて拘束されることで、連結片５の回転と受動往復爪４の回転との連動を可能とする。
【００２３】
また、前記デフレバー２側には、図４及び図５に示すように、デフレバー２を枢支するデフレバー取付金具１５の枢支部１０にデフレバー解除用クランク６を枢支し、該デフレバー解除用クランクの基端部６ａには前記連結片５の末端部５ａを繋ぐワイヤー３の末端部３ｂを固定する。
前記デフレバー取付金具１５の枢支部１０においては、デフレバー２を枢支するための枢支軸１０ａを設けて、該枢支軸１０ａを前記枢支部１０に差し込むとともにその枢支軸１０ａに、デフレバー解除用クランクの中間部に設けた枢支孔１０ｂを差し込んで、デフレバー取付金具１５の枢支部１０に前記デフレバー解除用クランク６を枢支する。
また、該デフレバー解除用クランクの先端部６ｂがデフレバー２を押すことで、前記デフレバー２を移動させデフロック解除が行えるように、該デフレバー解除用クランクの先端部６ｂをデフレバー２の解除方向の後ろ側に当接させて配設する。
さらにハンドルＨにワイヤー３の通過位置を決めるワイヤーガイド孔を有するワイヤーガイド部２０を設け、該デフレバー解除用クランクの基端部６ａと前記ワイヤーガイド部２０の間にはワイヤー挿通コイル押しバネ１２を装着する。
【００２４】
また、前記ハンドルＨに、デフレバー用ワイヤー１３の通過位置を決めるデフレバー用ワイヤーガイド孔を有するワイヤーガイド部２１を設ける。
そして、そのワイヤーガイド部２１とデフレバー２を枢支するデフレバー取付金具１５の枢支部１０とを結ぶ距離よりも、前記デフレバー用のワイヤーガイド部２１とデフレバー２の基端部２ａを結ぶ距離の方が長くなるように、デフレバー２の基端部２ａの位置を定める。
そして、前記デフレバー２の操作で、図６の（イ）、（ロ）に示すデフ機構Ｄに装着されたバネ２３で緊張されたデフレバー用ワイヤー１３が枢支部１０を横切って、解除されていたデフ機構のデフロックを可能とするとともに、該デフレバー用ワイヤー１３が枢支部１０を横切った後前記デフレバー２が当たって止まるストッパ１４を設ける。
【００２５】
本考案は以上の構成とするので、前記変速レバー１を前記レバーガイド孔８内の作業位置Ａと作業停止位置Ｂへ移動させたとき、その移動と連動して前記デフレバー２が移動してデフ機構Ｄのデフロックが解除されるが、その仕組みを次に説明する。
【００２６】
まず、前記変速レバー１を、図２の（イ）に示すように、作業位置Ａから作業停止位置Ｂに移動する。
この際、受動往復爪４の先端部４ａが前記変速レバー１の軸に当たって回転移動する。この受動往復爪４の回転で図３に示す受動往復爪４の連結片連結用突起１８が連結片５の突起挟持用切欠１９を押して、連結片５が回転し、連結片５の末端部５ａに連結したワイヤー３が引かれる。
ワイヤー３が引かれると、前記図５に示すデフレバー２側において、該ワイヤー３に連結したデフレバー解除用クランク６の一方の基端部６ａが、ワイヤー挿通コイル押しバネ１２に抗して引かれる。この際該デフレバー解除用クランク６の他方の先端部６ｂがデフレバー２を解除方向に押してデフ機構Ｄのデフロックが解除される。
【００２７】
このとき、該デフレバー用ワイヤー１３が枢支部１０を横切った後、前記デフレバー２がストッパ１４に当たって止まり、該デフレバー用ワイヤー１３がデフ機構Ｄに装着されたバネ２３で枢支部１０よりもストッパ１４側に緊張されているので、前記デフレバー２は自然には戻らなくなる。
なお、変速レバー１の作業位置Ａと作業停止位置Ｂとの間を往復する際に、受動往復爪４の先端部４ａは、前記受動往復爪付勢バネ１１とワイヤー挿通コイル押しバネ１２との力のバランスで、レバーガイド孔８の作業位置Ａと作業停止位置Ｂとの中間に必ず戻るよう調節しておく。このためデフレバー解除用クランク６はワイヤー挿通コイル押しバネ１２で押し戻され、前記デフレバー２から離れた状態となる。
【００２８】
次に、デフ機構Ｄのデフロックをする場合を説明する。
デフロックをする場合にはデフレバー２を、図５に示すように、フレバー２の先端部２ｂが後ろ（図５の上側）にある状態から前（図５の下側）へと手動で操作する。
即ち、デフレバー２を手動で前へ戻すと、デフレバー２の先端部２ｂが枢支部１０を中心に、図５の（ロ）における反時計回りに回転する。
このとき、図６に示すデフ機構Ｄに装着されたバネ２３で緊張されたデフレバー用ワイヤー１３が、前記枢支部１０を横切って行き、解除されていたデフ機構Ｄのデフロックがなされる。
前記デフレバー用ワイヤー１３が前記枢支部１０を横切った後はデフレバー２の基端部２ａがデフレバー用ワイヤー１３によって引っ張られてさらに移動し、ストッパ１４に当たって止まる。そしてこの状態のままデフレバー２はデフレバー用ワイヤー１３によってストッパ１４側へと引き寄せられているので自動的に戻ることはない。
【００２９】
また、小型耕耘機のミッションＭの車速及びロータリ装置Ｒの作業切換え用変速レバー1は、２段変速や３段変速としたものもあり、その変速レバー1をガイド操作するレバーガイド孔も切換え作業の数に応じて分岐させたレバーガイド孔を備えている。本考案ではこのような変速レバーに対応させて、デフ機構Ｄのデフロック解除が行えるようにすることができる。
例えば、図７に示すように、１段目ガイド孔８ａと、これと分岐した２段目ガイド孔８ｂとの２段変速のレバーガイド孔８の場合では、１段目ガイド孔８ａ側の受動往復爪４とその周辺部分の構成については上記構成と共通するものである。
また分岐した２段目ガイド孔８ｂ側については、２段目受動往復爪２４を前記レバーガイド孔付きカバー７に設けた受動往復爪歯付き枢支部２５に枢支し、変速レバー１を入れた作業位置（図７の（イ）に示す位置）と作業停止位置との間に臨んで該変速レバー１に２段目受動往復爪２４の先端部２４ａが当たるようにするとともに、前記２段目ガイド孔８ｂ内を変速レバー１が通過となるように突設する。
そして、前記変速レバー１が前記２段目受動往復爪２４に当たると他の前記受動往復爪４も同時に連動可能となる連動機構を、前記２段目受動往復爪２４と前記受動往復爪４との間に設ける。
【００３０】
前記連動機構は、ワイヤー、ロッド、ギヤなどを介して行う各種の構造とすることが可能であるが、そのうちのロッドによる例を次に示す。
図７に示す連動機構の例は、前記２段目ガイド孔８ｂに臨ませて設けた２段目受動往復爪２４に円周の一部に歯２５ａを形成した歯付き枢支部２５を一体的に固定し、該連動歯付き枢支部２６と前記受動往復爪枢支部９との間に各連結ロッド２７、２８、２９を架設し、各連結ロッド２７、２８、２９の各端部をロッド枢支部３０、３１で枢支して一連に連結したものである。
図７の（イ）は、２段目ガイド孔８ｂに前記変速レバー１が入ってデフロックされ作業状態になっている状態を示し、図７の（ロ）は、２段目受動往復爪２４が前記変速レバー１に当たって、回転移動し、その回転移動に連動して１段目ガイド孔８ａの受動往復爪４も移動した状態を示す。
【００３１】
次にこの連動の仕組みを以下説明する。
図７の（イ）に示すように前記２段目ガイド孔８ｂに寄せられ作業中であった前記変速レバー１を操作して、図の右側方向へ前記変速レバー１を移動させてその作業を停止させとうとすると、前記変速レバー１が、図７の（ロ）に示すように、前記２段目受動往復爪２４に当たり前記２段目受動往復爪２４が前記変速レバー１に押されて回転する。
２段目受動往復爪２４が回転すると該２段目受動往復爪２４と一体的に設けた歯付き枢支部２５が回転し、その隣に設けた連動歯付き枢支部２６に形成した歯２６ａに前記歯２５ａとが歯合して連動歯付き枢支部２６が回転する。
この連動歯付き枢支部２６の回転で各連結ロッド２７、２８、２９が連動して、前記受動往復爪４に固定した受動往復爪枢支部９が回転する。
即ち、前記変速レバー１で前記２段目受動往復爪２４を回転させると、前記受動往復爪４が同時に連動して回転することとなる。
この仕組みは、３段変速やそれ以上の変速の場合であっても、上記２段目受動往復爪２４と同様な連結構造を追加して設けることで前記受動往復爪４に連絡して連動させることが可能となる。
この結果、本考案ではこの例に示したように、複数段の変速レバーに対応させて機械的にデフ機構Ｄのデフロックの解除を行うことが可能となる。
【００３２】
以上の如く本考案は、前記変速レバー１を作業位置Ａから作業停止位置Ｂに移動すると同時に連動して自動的にデフロックの解除がなされるので、デフレバー２の手動操作が省けて二重手間が解消される。そして耕耘機の旋回時において、無理な運転がなくなり安全且つスムーズな運転が可能となる。
【産業上の利用可能性】
【００３３】
本考案は主として小型耕耘機に使用されるものであるが、歩行型であれば大型耕耘機でも利用可能である。
【符号の説明】
【００３４】
１    変速レバー
２    デフレバー
２ａ  デフレバーの基端部
２ｂ  デフレバーの先端部
３    ワイヤー
３ａ  ワイヤーの基端部
３ｂ  ワイヤーの末端部
４    受動往復爪
４ａ  受動往復爪の先端部
５    連結片
５ａ  連結片の末端部
６    デフレバー解除用クランク
６ａ  デフレバー解除用クランクの基端部
６ｂ  デフレバー解除用クランクの先端部
７    レバーガイド孔付きカバー
８    レバーガイド孔
８ａ  １段目ガイド孔
８ｂ  ２段目ガイド孔
９    受動往復爪枢支部
１０  デフレバー枢支部
１０ａ  枢支軸
１０ｂ  枢支孔
１１  受動往復爪付勢バネ
１２  ワイヤー挿通コイル押しバネ
１３  デフレバー用ワイヤー
１４  デフレバーストッパー
１５  デフレバー取付金具
１６  バネ固定孔
１７  バネ固定孔
１８  連結片連結用突起
１９  突起挟持用切欠
２０  ワイヤーガイド
２１  デフレバー用ワイヤーガイド
２２  ワイヤーガイド孔
２３  バネ
２４  ２段目受動往復爪
２５  歯付き枢支部
２５ａ  歯
２６  連動歯付き枢支部
２６ａ  歯
２７  連結ロッド
２８  連動ロッド
２９  連動ロッド
３０  ロッド枢支部
３１  ロッド枢支部
Ｍ    ミッション
Ｒ    ロータリ装置
Ｋ    車輪駆動部
Ｄ    デフ機構
Ａ    作業位置
Ｂ    作業停止位置
【図１】
0003165660.tif 000003
【図２】
0003165660.tif 000004
【図３】
0003165660.tif 000005
【図４】
0003165660.tif 000006
【図５】
0003165660.tif 000007
【図６】
0003165660.tif 000008
【図７】
0003165660.tif 000009